(57)【要約】【課題】電動リールに魚釣用バッテリ装置を装着したときに良好なリール握持性を実現し、釣りを行うときの竿操作性の向上を図り得るようにした魚釣用バッテリ装置を提供すること【解決手段】接続コネクタ１４の基端部側の蓋部１２に指当て部１５を設けたケース本体１０に、接続コネクタ１４に電気的に接続される電池部１３を密閉収容し、このケース本体１０の接続コネクタ１４を竿杆３０に取付けた電動リール２０の給電接続部２１に直接的に装着するように構成したバッテリ装置。【選択図】      図２
2006149370.tif 000002
【特許請求の範囲】
【請求項１】
魚釣用リールの給電接続部に着脱される接続コネクタが設けられ、この接続コネクタを設けた部分が小径に形成されたケース本体と、
このケース本体に密閉収容され、前記接続コネクタに電気的に接続される電池と、
を具備することを特徴とする魚釣用バッテリ装置。
【請求項２】
前記接続コネクタは、前記ケース本体における配置面の略中央に配されることを特徴とする請求項１記載の魚釣用バッテリ装置。
【請求項３】
前記ケース本体の小径に形成された部分は、前記接続コネクタの周囲に上方に幅狭となる傾斜形状に形成されることを特徴とする請求項１又は２記載の魚釣用バッテリ装置。
【請求項４】
前記接続コネクタは、可撓性を有することを特徴とする請求項１乃至３のいずれか記載の魚釣用バッテリ装置。
【請求項５】
前記ケース本体は、前記接続コネクタを前記魚釣用リールの給電接続部に装着した状態で、相互間を位置決めする保持手段を備えることを特徴とする請求項１乃至４のいずれか記載の魚釣用バッテリ装置。
【請求項６】
前記ケース本体は、前記接続コネクタの先端に着脱自在に装着される保護キャップを備えることを特徴とする請求項１乃至５のいずれか記載の魚釣用バッテリ装置。
【請求項７】
ケース本体にネック部を突設し、前記ネック部に魚釣用リールの給電接続部に着脱される接続コネクタと魚釣用リールに装着したときの保持手段を設けたことを特徴とする魚釣用バッテリ装置。
【請求項８】
前記ネック部は、ケース本体の電池の収容部より小径に形成されていることを特徴とする請求項７に記載の魚釣用バッテリ装置。
【請求項９】
前記ネック部に傾斜部を設けたことを特徴とする請求項７又は８に記載の魚釣用バッテリ装置。
【発明の詳細な説明】
【技術分野】
【０００１】
この発明は、例えば釣糸が巻回されるスプールを回転駆動する駆動用モータを備えた魚釣用リールに電力を供給するのに用いられる魚釣用バッテリ装置に関する。
【背景技術】
【０００２】
最近、船釣等の深場あるいは沖合いでの釣りにおいては、釣糸が巻回されるスプールを駆動用モータで駆動するいわゆる電動リールと称する魚釣用リールが多く使用されている。このような電動リールのスプール駆動用モータに給電する手段としては、バッテリ装置を釣り位置から離れた場所に設置し、長い給電コードを用いてスプール駆動用モータの内蔵されるリール本体に設けた給電接続部に対して電力を給電する方式が知られている（例えば、特許文献１及び２参照。）。
【０００３】
ところが、このような長い給電コードを介して、魚釣用リールとこれから遠く離れたバッテリ装置とを接続する場合には、長い給電コード自体が邪魔になることに加え、魚の当たりを待ったり、あるいは誘い操作や魚の取込み操作の際に、その長い給電コードで釣竿の動きが制約され、誘い操作や魚の取込み操作等を思い通りに自由に行うことができず、操作性が劣るという不都合を有する。
【０００４】
そこで、電動リールのスプール駆動用モータに給電する手段には、電動リールと一対一の関係を有する電池ボックスを用意し、この電池ボックスをねじ構造等の機械的な手段により、電動リールの竿尻側に直接的に取付けて相互間を電気的に接続するようにして、給電コードを用いない構成のものも提案されている（例えば、特許文献３参照）。
【特許文献１】特開２０００−２７６７６号公報
【特許文献２】特開平１０−２１５７３７号公報
【特許文献３】実開平３−７６４６５号公報
【発明の開示】
【発明が解決しようとする課題】
【０００５】
しかしながら、上記電動リールへの給電する手段では、その電池ボックスが電動リールの竿尻方向を広く覆ってしまう構成のため、リール握持性が劣るうえ、竿操作性が低下されるという問題を有する。
【０００６】
この発明は、上記の事情に鑑みてなされたもので、電動リールに魚釣用バッテリ装置を装着したときに良好なリール握持性を実現し、釣りを行うときの竿操作性の向上を図り得るようにした魚釣用バッテリ装置を提供することを目的とする。
【課題を解決するための手段】
【０００７】
この発明は、魚釣用リールの給電接続部に着脱される接続コネクタが設けられ、この接続コネクタを設けた部分が小径に形成されたケース本体と、このケース本体に密閉収容され、前記接続コネクタに電気的に接続される電池とを備えて魚釣用バッテリ装置を構成した。
【０００８】
上記構成によれば、ケース本体は、その接続コネクタが魚釣用リールの給電接続部に装着されて該魚釣用リールに取付けられ、釣り人Ａが魚釣用リールを握持すると、釣り人Ａの指がケース本体に添えられた状態で竿操作が可能なる。これにより、安定した容易なリール握持性を確保したうえで、竿操作性の向上が図れる。
【発明の効果】
【０００９】
以上述べたように、この発明によれば、電動リールに魚釣用バッテリ装置を装着したときに良好なリール握持性を実現し、釣りを行うときの竿操作性の向上を図り得るようにした魚釣用バッテリ装置を提供することができる。
【発明を実施するための最良の形態】
【００１０】
以下、この発明の実施の形態について、図面を参照して詳細に説明する。
【００１１】
図１は、この発明の一実施の形態に係る魚釣用バッテリ装置を示すもので、ケース本体１０は、ケース本体１０の下部側を形成し電池Ｄが収容される有底の筒状ケースからなる収容部１１上に、これとは別に形成されたケース本体１０の上部側を形成し、収容部１１の上方の開口を閉塞する蓋部１２が取付けられて形成され、その内部には、例えばリチウムイオン電池等の電池Ｄ及び充放電制御用制御基板Ｊを含む電池部１３が密閉収容される。この電池部１３が密閉収容されたケース本体１０を有する魚釣用バッテリ装置は、例えば図２に示す周知の電動リール２０に配される外部電源接続用の給電接続部２１に、例えば船の電力源、発電機、大型バッテリ等の外部電源から延びる周知の給電コードに代えて装着されて該電動リール２０への給電を実行する。
【００１２】
即ち、上記ケース本体１０の蓋部１２には、その上方に筒状のネック部（接続コネクタの支持部）１２２が突設され、その上端の略中央部に取付け穴部１２１が設けられる（図２参照。）。そして、この取付け穴部１２１には、上記電池部１３に電気的に接続される接続コネクタ１４がケース本体１０の取付け穴部１２１からその先端部側が突出され、接続コネクタ１４の基端部側は取り付け穴部１２１に差し込まれてネック部１２２に支持され、ケース本体１０内に直接的に取付けられる。この接続コネクタ１４は、例えば可撓性を有する非導電性の樹脂材料で形成され、いわゆるソケット型コンセントを構成する一対の凹状接続端子１４１が設けられる。この凹状接続端子１４１は、その基端において、上記電池部１３に電気的に接続される。そして、この接続コネクタ１４は、ケース本体１０の蓋部１２に取付けられた状態で、その凹状接続端子１４１が電池部１３に電気的に接続されることで、その配線系統の断線防止が図られて、上記電動リール２０の給電接続部２１への繰り返し着脱操作を安定して行うことが可能となる。
【００１３】
なお、接続コネクタ１４は電動リール２０の給電接続部２１へ給電可能に接続できるものであればよく、ケース本体１０の蓋部１２の取付け穴部１２１から突出するように形成したが、ケース本体１０と一体的に形成してもよいし、また、凹状に形成して電動リール２０の給電接続部をこれに差し込むものであってもよい。
【００１４】
また、上記蓋体１２には、接続コネクタ１４の基端部側にケース本体１０の電池部１３が収容される筒状の収容部１１より小径に形成した接続コネクタ１４を支持するネック部１２２が突設され、このネック部１２２の下方側（収容部１１側）には指当て部１５が形成されている。指当て部１５は収容部１１より接続コネクタ１４に向かって上方になるにつれてネック部１２２が幅狭（小径）になるように傾斜された円錐周面形状の指当て用傾斜部がケース本体１０の上面から上方へ突設して形成される。
【００１５】
ネック部（接続コネクタの支持部）１２２がケース本体１０の筒状の収容部１１から突設されているため、ネック部１２２の先端側に設けた接続コネクタ１４を給電接続部２１に接続し、保持手段のナット部材１７で魚釣用バッテリ装置を電動リール２０に装着した時に、ネック部１２２が突出した分ケース本体１０の収容部１１を電動リール２０から離間して配置することができ、収容部１１は電動リール２０に添設されて設けられることが防止できるため、ケース本体１０の収容部１１と電動リール２０の間に手を差し入れて電動リール２０を握持できたり、手に当りにくくなるなど、収容部１１が電動リール２０を握持するときの邪魔にならず、容易に握持することができ、魚釣用バッテリ装置を電動リール２０に取り付けた時の電動リール２０の握持性が向上する。
【００１６】
また、ネック部１２２がケース本体１０の筒状の収容部１１より小径に形成されておりその突出方向（上方）から見て収容部１１より外周に突出していないため、ネック部１２２の外周側の電動リール２０とこれに取り付けた収容部１１の間でネック部１２２を中心にして周囲がくびれたように間隙が形成されこの間隙に手を差し込んで電動リール２０を容易に握持できる。
【００１７】
場合によっては、魚釣用バッテリ装置のネック部１２２に指を掛けたり、ネック部１２２を指と指の間に挟むようにして電動リール２０を握持することでより確実に握持でき、このようにすることで魚釣用バッテリ装置を装着したことによって指の掛け処ができて従来の魚釣用電動リール２０をより安定して握持できる。
【００１８】
さらに、ネック部１２２にはその下方に設けた収容部１１に向かって広がるように形成した指当て部１５を有し、この指当て部１５は、ネック部１２２から収容部１１に向かう末広がりの傾斜部を形成しているため、周方向に丸みを持った指に馴染むように当たり、指を掛けやすい。また、ネック部１２２の負荷を分散して破損を防止する。
【００１９】
電動リール２０とこれに取り付けた収容部１１の間の間隙に指を差し入れるときに指当て部１５の傾斜部によって間隙の間口が大きくなり、また、この傾斜部に誘導されて間隙へ容易に指を差し込むことができる。
【００２０】
なお、指当て部１５の傾斜部は、ネック部１２２が収容部１１に向かって広がるように形成されていればよく、平面状の傾斜面に限らず凹凸状に形成されていてもよい。
【００２１】
さらに、上記ケース本体１０の蓋部１２のネック部１２２には、例えば絶縁性を有する樹脂材料で形成される弾性を有する腕部１６の一端が弾性変形自在に取付けられ、この弾性腕部１６の先端部には、接続コネクタ１４の先端部に嵌合可能でこれを覆う保護キャップ１６１が設けられる。これにより、保護キャップ１６１は、ケース本体１０の蓋部１２の接続コネクタ１４が電動リール２０の給電接続部２１から離脱された状態で、その弾性腕部１６の弾性変形を利用して上記接続コネクタ１４の先端部に装着される。これにより、ケース本体１０は、例えば携帯時等においても、露出された接続コネクタ１４の凹状接続端子１４１の周囲部との電気的接続が防止される。
【００２２】
また、ケース本体１０の上記蓋部１２のネック部１２２取付け穴部１２１には、魚釣用バッテリ装置を電動リールに装着したときに脱落しないように保持する保持手段を構成する、例えば電動リール２０に係合するナット部材１７が回転操作自在に設けられる。このナット部材１７は、上記接続コネクタ１４が上記電動リール２０の給電接続部２１に装着された状態で、該給電接続部２１の後述する口金部２２の螺子部２２１に螺合されて締付け保持される。ナット部材１７は、指当て部１５の上方側に配され、ネック部１２２の上端より外周へ突出しているため、指当て部１５に添えた指を接続コネクタ１４から離して、接続コネクタ１４を直接取付けたバッテリ装置の安全性を確保している。また、保持手段のナット部材１７はケース本体１０の収容部１１の外周へ突出しないように形成され、電動リール２０に取り付けたときに握持性を向上し、電動リール２０と魚釣用バッテリ装置の間に手を差し入れやすくし、また、保持手段の破損や誤操作による保持状態のゆるみが発生することを防止する。
【００２３】
なお、ケース本体１０は収容部１１に蓋部１２を取り付けて形成したが、ケース本体は他の構成部材の組み合わせによって形成してもよく、また、一体に形成してもよい。
【００２４】
したがって、収容部１１は、単にケース本体１０を形成する有底筒状ケースの分割形成した部材のみを定義するのではなく、ケース本体１０におけるネック部１２２に比べて太径（幅広）に形成した電池Ｄ等を収納した部分をいう。
【００２５】
また、収容部１１は、略円筒状や略角柱状などの筒状やその他様々な形状に形成することができ、ネック部１２２は収容部１１より小径に形成し、その突出方向から見て収納部１１の外周に突出しないように形成するのがよい。
【００２６】
また、保持手段のナット部材１７はネック部１２２の取り付け穴部１２１に回動自在に嵌合して設けたが、ネック部１２２の外側にネック部１２２の外側を覆うように設けてもよく、この場合、保持手段はネック部１２２の１部分となっており、保持手段のナット部材１７は収容部１１より小径で、ネック部１２２の突出方向（上方）から見て収容部１１より外周に突出しないようにして、ネック部１２２及び保持手段の外周側で、電動リール２０とこれに取り付けた収容部１１の間に間隙が形成されるように形成する。
【００２７】
さらに、ネック部１２２やこの先端から突出する接続コネクタ１４は魚釣用バッテリ装置の重心を通る上下方向の線分上からこの線分に合致する方向に突出しているため魚釣用バッテリ装置を電動リール２０に垂下するように取り付けるとネック部１２２やこれに支持された接続コネクタ１４を折り曲げる方向の負荷が少なく、破損が防止され、ぐらつきが少なく安定して電動リール２０に取り付けることができ、ネック部１２２や指当て部１５に手を当てて握持すると魚釣用バッテリ装置のより重心の上方または上記線分に近い位置にて握持することとなり、安定して握持でき、疲れない。
【００２８】
ここで、上記ケース本体の接続コネクタを介して給電される電動リールについて説明する。電動リール２０は、図示しないスプール、スプール駆動モータ及びマイクロコンピュータで構成される制御部が内装され、その給電接続部２１に電力が給電されると、操作部２０１の操作に連動して上記制御部（図示せず）が上記スプール駆動モータ（図示せず）を駆動制御して、上記スプール（図示せず）の回転速度が制御されて、釣糸の巻取り動作が行われる。
【００２９】
即ち、上記給電接続部２１には、例えば電動リール２０が釣竿３０に取付けられた状態で、垂直かつ下方に向けて開口した防水構造を有する凹状の口金部２２が設けられ、この口金部２２内には、例えば一対のピン形の接続端子２３が上記ケース本体１０の接続コネクタ１４の一対の凹状接続端子１４１に対応して突出される。そして、この給電接続部２１の口金部２２は、上記ケース本体１０の接続コネクタ１４が挿入されると、その接続端子２３が接続コネクタ１４の凹状接続端子１４１内に挿入されて相互間が電気的に接続可能に形成される。
【００３０】
ここで、この給電接続部２１は、その接続端子２３が口金部２２内において封止構造で配され、これら口金部２２及び接続端子２３の周部から電動リール２０内に水等の流体が浸入するのを防止する、いわゆる液密構造に形成される。また、給電接続部２１の口金部２２には、その周囲部に螺子部２２１が上記ケース本体１０のナット部材１７に対応して形成され、このナット部材１７が螺合されると、ケース本体１０の接続コネクタ１４との間の液密構造を維持しつつ強固な一体構造に連結し、この給電接続部２１から電動リール２０内に水が浸入するのを防止すると共に、その離脱を防止する。
【００３１】
また、電動リール２０の給電接続部２１には、例えば非導電性樹脂材料製の弾性腕部２４の基端部が弾性変形自在に支持され、この弾性腕部２４の先端には、保護キャップ２４１が上記口金部２２に対応して設けられる。これにより、電動リール２０は、使用しない場合、給電接続部２１の口金部２２に対して保護キャップ２４１を装着することで、その口金部２２及び電極端子２３の保護が可能となる。
【００３２】
このように形成した電動リール２０の給電接続部２１には、例えば上記ケース本体１０の接続コネクタ１４の装着に代えて、図示しない外部設置型のバッテリ装置に配線接続され給電コードのケーブルコネクタを接続することにより、この外部設置型のバッテリ装置により給電することも可能である。
【００３３】
上記構成により、ケース本体１０は、接続コネクタ１４を、竿杆３０に取付けられた電動リール２０の給電接続部２１の口金部２２に挿入すると、その凹状接続端子１４１内に口金部２２内の接続端子２３が挿入されて相互間が電気的に接続される。続いて、ケース本体１０は、そのナット部材１７を回転操作して、電動リール２０の口金部２２の螺子部２２１に螺合させて締付けることにより、電動リール２０の口金部２２に取付けられる（図３及び図４参照）。これにより、ケース本体２０は、その上面の略中央部に突設された接続コネクタ１４が電動リール２０に吊着されたバランスの良い状態で組付け配置される。接続コネクタ１４は、可撓性を有するようにケース本体１０より柔らかい合成樹脂材料で形成しているため、電動リール２０に付けた時に、接続コネクタ１４やケース本体１０の破損を防止し、電動リール２０に対して接続コネクタ１４が撓んで動くことで、指当て部１５に添えた指への当たりが柔らかく、指の疲れを防止する。
【００３４】
このケース本体１０の電動リール２０への装着状態において、釣り人Ａは、竿杆３０の握り部３０１及び電動リール２０を握持することで、ケース本体２０を直接的に支えながらの釣りが行われる。ここで、釣り人Ａは、例えば図３及び図４に示すように電動リールを握持した一方の手の中指を、第２関節から曲げた状態で、その関節部位近傍を、蓋部１２の指当て部１５に添えて竿操作等の釣動作が行われる。
【００３５】
これにより、指（中指）をケース本体１０の収容部１１の外周面よりも内方側のネック部１２２に近づけて添えるように掛けることができ、釣竿３０や電動リール２０における保持スペースは、広がり又は、制限されることなく、いわゆる手持ちでの上下誘い操作や巻取り操作等で電動リール２０と一体的に取扱い操作することができるため、釣り人Ａは、ケース本体１０が邪魔になることなく、所望の魚釣操作を快適に行うことができる。また、接続コネクタ１４は、ケース本体１０の上面の略中央部に設けられ、その近傍を指で支えるため、バッテリ装置の揺動を防止して安定して電動リール２０を支持することができる。
【００３６】
さらに、上記蓋部１２の指当て部１５には、竿操作形態等に応じて、例えば図５に示すように釣り人Ａの中指全体を巻き掛けるようにすることも可能であり、指当て部１５を収容部１１の周方向に突出せず、これより小径に形成しているため、指掛けを容易に行うことができる。
【００３７】
また、釣り途中において、ケース本体１０内の電池部１３の電気エネルギが消耗した場合には、上記装着動作と略逆の操作を行って電動リール２０から離脱させ、その後、予め用意して置いた充電済みの新たなものと、交換使用することにより、長時間にわたる電動リール２０の使用が可能である。このように予め複数個を用意しておくことは、電動リール２０と共に、握持が可能なまでの軽量化を図っていることで、携帯が容易に実現することが可能である。
【００３８】
このように、上記魚釣用バッテリ装置は、接続コネクタ１４の基部の蓋部１２に指当て部１５を設けたケース本体１０に、接続コネクタ１４に電気的に接続される電池部１３を密閉収容し、このケース本体１０の接続コネクタ１４を竿杆３０に取付けた電動リール２０の給電接続部２１に直接的に装着するように構成した。
【００３９】
これによれば、釣り人Ａが竿杆３０と共に電動リール２０を握持して、その指をケース本体１０の指当て部１５に添えることにより、ケース本体１０を電動リール２０と一体的に握持することができる。これにより、釣竿３０における保持スペースが、制限されることなく、しかも、ケース本体１０が電動リール２０と一体的に取扱い操作することができるため、釣り人Ａは、ケース本体１０が邪魔になることなく、所望の魚釣操作を快適に行うことが可能となる。
【００４０】
なお、この発明は、上記実施の形態に限ることなく、例えば図６に示すように指当て部１５１を構成することも可能である。但し、図６においては、図２と同一部分について同一符号を付して、その詳細な説明を省略する。
【００４１】
即ち、上記実施の形態では、指当て部として、接続コネクタ１４の基部の周囲に上方に幅狭に傾斜された円錐周面形状の指当て用傾斜部を形成したのに対して、図６の実施の形態では、蓋部１２における接続コネクタ１４の基端部側の周囲に上方に幅狭に傾斜され、且つ、上方に行くにしたがって緩やかな傾斜角を有する湾曲周面形状の指当て用傾斜部１５１を形成して構成したもので、同様の効果が期待される。
【００４２】
また、上記実施の形態では、給電した電力を用いて電動リール２０のスプール駆動モータを駆動制御する場合について説明したが、これに限ることなく、その他、電動リール２０内に内装される糸長計測装置等の給電を必要とする全ての給電部品に対して給電ことが可能である。
【００４３】
さらに、上記実施の形態では、ケース本体１０にナット部材１７を回転操作自在に配し、電動リール２０の給電接続部２１の口金部２２の周囲に螺子部２２１を設けてナット部材１７を口金部２２の螺子部２２１に螺合させてケース本体１０を電動リール２０に取付け保持するように構成した場合で説明したが、これに限ることなく、その他、いわゆる差込構造等の各種の保持手段を用いて相互間を取付け保持するように構成することが可能である。
【００４４】
また、上記実施の形態では、ケース本体１０の接続コネクタ１４に凹状接続端子１４１を設けて、電動リール２０の給電接続部２１にピン形の接続端子２３を設けて構成したが、これに限ることなく、接続コネクタ１４のピン形の接続端子を設け、給電接続部２１に凹状接続端子を設けて構成することも可能である。また、ネック部１２２はケース本体１０の上方に突設したがケース本体の側方に突設してもよく、このときも突出方向から見て収容部より小径とし外周へ突出しないようにする。
【００４５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４６】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４７】
【図１】この発明の一実施の形態に係る魚釣用バッテリ装置の構成を説明するために示した一部断面図である。
【図２】図１のケース本体を電動リールに装着する前の状態を示した一部断面図である。
【図３】図１のケース本体が装着された電動リールを釣り人Ａが握持した状態を示した一部断面図である。
【図４】図１のケース本体が装着された電動リールを釣り人Ａが握持した状態を示した平面図である。
【図５】図１のケース本体が装着された電動リールを釣り人Ａが握持した状態の他の例を示した平面図である。
【図６】この発明の一実施の形態に係る魚釣用バッテリ装置の構成を説明するために示した平面図である。
【符号の説明】
【００４８】
１０…ケース本体、１１…収容部、１２…蓋部、１２１…取付け穴部、１３…電池部、１４…接続コネクタ、１４１…凹状接続端子、１５…指当て部、１６…弾性腕部、１６１…保護キャップ、１７…ナット部材、２０…電動リール、２０１…操作部、２１…給電接続部、２２…口金部、２２１…螺子部、２３…接続端子、２４…弾性腕部、２４１…保護キャップ、３０…竿杆、３０１…握り部。
【図１】
2006149370.tif 000003
【図２】
2006149370.tif 000004
【図３】
2006149370.tif 000005
【図４】
2006149370.tif 000006
【図５】
2006149370.tif 000007
【図６】
2006149370.tif 000008